Podtech/llm-jp-corpus-v4-ja_patent huggingface dataset:
【手続補正書】
【提出日】令和3年4月21日(2021.4.21)
【手続補正１】
【補正対象書類名】明細書
【補正対象項目名】００５２
【補正方法】変更
【補正の内容】
【００５２】
長尺基材離隔部材１０８は、長尺基材幅方向における寸法２０７が、例えば１ｍｍ以上５００ｍｍ以下であってよく、好ましくは５ｍｍ以上４００ｍｍ以下、より好ましくは１０ｍｍ以上３００ｍｍ以下である。長尺基材幅方向における寸法２０７が１ｍｍ以上５００ｍｍ以下である場合、長尺基材１０２に液体非塗布部分を形成し易くなると共に、長尺基材１０２の搬送安定性に優れる傾向にある。
【手続補正２】
【補正対象書類名】明細書
【補正対象項目名】００７４
【補正方法】変更
【補正の内容】
【００７４】
１０１  液体塗布装置、１０２  長尺基材、１０３  搬送手段、１０４  グラビアロール、１０５  液体供給循環機構、１０６  液体、１０７  バックアップロール、１０８  長尺基材離隔部材、１０９  ブレード、２０１  長尺基材接触面、２０２  長尺基材塗布面、２０３  傾斜角、２０４  長尺基材への液体塗布幅、２０５  支持部材、２０６  長尺基材搬送方向における寸法、２０７  長尺基材幅方向における寸法、２０８  傾斜角、２０９  先端部寸法、３０１  積層体製造装置、３０２  樹脂フィルム、３０３  巻出部、３０４  樹脂フィルム、３０５  巻出部、３０６  ニップロール、３０７  ＵＶ照射装置、３０８  ガイドロール、３０９  塗膜付長尺基材、３１０  積層体
【手続補正書】
【提出日】令和3年4月21日(2021.4.21)
【手続補正１】
【補正対象書類名】特許請求の範囲
【補正対象項目名】全文
【補正方法】変更
【補正の内容】
【特許請求の範囲】
【請求項１】
長尺基材を長さ方向に搬送するための搬送手段と、
前記長尺基材の表面に液体を塗布するためのグラビアロールと、
前記長尺基材と前記グラビアロールとを接触させるためのバックアップロールと
を備え、
前記グラビアロールの幅は、長尺基材への液体塗布幅よりも広くなっており、
前記長尺基材の幅方向における両端部のそれぞれにおいて、長尺基材とグラビアロールとの間に、搬送される長尺基材の端部に接触しながら該端部をグラビアロールから離すための２以上の長尺基材離隔部材が設けられており、
前記２以上の長尺基材離隔部材は、長尺基材の搬送方向において異なる位置に設けられており、
前記長尺基材離隔部材は、長尺基材と接触する長尺基材接触面の長尺基材への液体塗布面に対する角度が１０度以下である
ことを特徴とする液体塗布装置。
【請求項２】
前記長尺基材離隔部材は、長尺基材の幅方向の両端部において、グラビアロールの回転軸を基準に長尺基材の搬送方向の上流側と下流側のそれぞれに１以上設けられる、請求項１に記載の液体塗布装置。
【請求項３】
前記長尺基材離隔部材は、長尺基材の幅方向において可動式である、請求項１または２に記載の液体塗布装置。
【請求項４】
前記長尺基材離隔部材は、搬送方向から見て断面形状が楔形である、請求項１〜３のいずれか一項に記載の液体塗布装置。
【請求項５】
前記長尺基材離隔部材と長尺基材とが接触する幅は、長尺基材の搬送方向において１ｍｍ以上２０ｍｍ以下である、請求項１〜４のいずれか一項に記載の液体塗布装置。
【請求項６】
前記長尺基材離隔部材と長尺基材とが接触する幅は、長尺基材の幅方向において１ｍｍ以上１００ｍｍ以下である、請求項１〜５のいずれか一項に記載の液体塗布装置。
【請求項７】
前記長尺基材は、一方の面に剥離性硬化物層を有する多層フィルムである、請求項１〜６のいずれか一項に記載の液体塗布装置。
【手続補正２】
【補正対象書類名】明細書
【補正対象項目名】００５１
【補正方法】変更
【補正の内容】
【００５１】
長尺基材離隔部材１０８は、長尺基材幅方向における寸法２０７が、例えば１ｍｍ以上５００ｍｍ以下であってよく、好ましくは５ｍｍ以上４００ｍｍ以下、より好ましくは１０ｍｍ以上３００ｍｍ以下である。長尺基材幅方向における寸法２０７が１ｍｍ以上５００ｍｍ以下である場合、長尺基材１０２に液体非塗布部分を形成し易くなると共に、長尺基材１０２の搬送安定性に優れる傾向にある。
【手続補正３】
【補正対象書類名】明細書
【補正対象項目名】００６９
【補正方法】変更
【補正の内容】
【００６９】
［実施例１］
図６示す液体塗布装置１０１を用いた。液体塗布装置１０１の長尺基材１０２の幅方向両端部のそれぞれにおいて、長尺基材離隔部材１０８を、グラビアロール１０４とバックアップロール１０７との間に、グラビアロール１０４の回転軸から長尺基材搬送方向上流側に３０ｍｍ離れた位置および長尺基材搬送方向下流側３０ｍｍ離れた位置に設置した。長尺基材離隔部材１０８として用いた上記長尺基材離隔部材１の長尺基材接触面の幅は、長尺基材搬送方向において６ｍｍ、長尺基材幅方向において１５ｍｍ、長尺基材離隔部材１の長尺基材接触面と長尺基材の液体塗布面とがなす角度を７度とした。この場合、長尺基材の撓み幅は約７ｍｍであった。
上記の通り長尺基材離隔部材１を配置した液体塗布装置を備える積層体製造装置において、長尺の第２フィルムを連続的に搬送するとともに、長尺の第１フィルムを連続的に搬送し、第１フィルム上に活性エネルギー線硬化性組成物１を、第１フィルムの幅方向において端部から２２ｍｍの領域には硬化性組成物層を形成させずに塗布厚約１．５μｍでグラビアロールにより塗布した後、貼合ロール間に通した。その後、引き続き、紫外線を照射し、硬化性組成物層を硬化させて、第１フィルム／硬化層／第２フィルムからなる積層体を得た。
長尺基材への液体塗布幅のばらつきは確認されなかった。また、蛇行搬送、長尺基材のウェーブカールの悪化、および長尺基材の損傷は認められなかった。
【手続補正書】
【提出日】令和3年9月1日(2021.9.1)
【手続補正１】
【補正対象書類名】特許請求の範囲
【補正対象項目名】全文
【補正方法】変更
【補正の内容】
【特許請求の範囲】
【請求項１】
当たりに当選すると、遊技者に有利な特別遊技を実行し、当該特別遊技の後の遊技状態を、遊技球の入球のし易さが可変可能な可変入球口に遊技球が入球し易い入球サポート状態に制御することがある遊技状態制御手段と、
所定の表示手段を含む演出手段を用いて演出を行うことが可能な演出実行手段と、を備える遊技機であって、
前記遊技状態制御手段は、前記入球サポート状態における所定の図柄の変動表示の回数が予め定められた上限回数に至ると、前記入球サポート状態を終了させることがあり、
前記演出実行手段は、前記特別遊技の後に前記入球サポート状態へと制御される当たりに当選した場合に、前記表示手段に表示した特定表示を、当該入球サポート状態の終了するときを示唆可能な態様に向けて変化させる変化演出を実行することがあることを特徴とする遊技機。
【請求項２】
請求項１に記載の遊技機であって、
前記当たりには、当該当たりに応じて制御可能な前記入球サポート状態について、
前記上限回数が所定数に設定される第１の当たりと、
前記上限回数が前記所定数よりも少なく設定されるか、前記所定数を超えて継続し得る第２の当たりと、があり、
前記演出実行手段は、前記第１の当たりに当選した場合および前記第２の当たりに当選した場合の少なくとも一方の場合に、前記変化演出を実行可能であることを特徴とする遊技機。
【請求項３】
請求項２に記載の遊技機であって、
前記演出実行手段は、前記第２の当たりへの当選に応じて前記変化演出を行う場合には、前記特定表示を、前記所定数を示唆可能な所定態様に向けて変化させた後、前記所定態様から、当該第２の当たりに応じて制御される前記入球サポート状態が終了するときを示唆可能な態様に向けて変化させることがあることを特徴とする遊技機。
【手続補正２】
【補正対象書類名】明細書
【補正対象項目名】０００６
【補正方法】変更
【補正の内容】
【０００６】
本発明の遊技機は、
当たりに当選すると、遊技者に有利な特別遊技を実行し、当該特別遊技の後の遊技状態を、遊技球の入球のし易さが可変可能な可変入球口に遊技球が入球し易い入球サポート状態に制御することがある遊技状態制御手段と、
所定の表示手段を含む演出手段を用いて演出を行うことが可能な演出実行手段と、を備える遊技機であって、
前記遊技状態制御手段は、前記入球サポート状態における所定の図柄の変動表示の回数が予め定められた上限回数に至ると、前記入球サポート状態を終了させることがあり、
前記演出実行手段は、前記特別遊技の後に前記入球サポート状態へと制御される当たりに当選した場合に、前記表示手段に表示した特定表示を、当該入球サポート状態の終了するときを示唆可能な態様に向けて変化させる変化演出を実行することがあることを特徴とする遊技機である。
【手続補正書】
【提出日】令和3年9月1日(2021.9.1)
【手続補正１】
【補正対象書類名】特許請求の範囲
【補正対象項目名】全文
【補正方法】変更
【補正の内容】
【特許請求の範囲】
【請求項１】
大当たりの抽選を行う抽選手段と、
遊技者からの入力操作を受け付ける入力手段と、
遊技者に視認し易い第１位置と、前記第１位置よりも遊技者に視認し難い第２位置と、に変位可能な可動体と、
数字表示が可能な表示手段と、
前記抽選手段による抽選の結果に基づく変動演出を実行可能な演出制御手段と、
を備え、
前記演出制御手段は、
前記変動演出において、所定のタイミングに達した場合に、前記可動体を前記第２位置から前記第１位置に移動させ、前記表示手段にて数字のカウント表示を行わせる特別演出を実行可能とし、
前記特別演出での前記カウント表示の終了後であって前記変動演出の実行が終了する前に、前記入力手段による入力操作を受け付ける、
ことを特徴とする遊技機。
【請求項２】
請求項１に記載する遊技機において、
前記特別演出では、
前記所定のタイミングとして、第１タイミングと、前記第１タイミングよりも後のタイミングである第２タイミングと、があり、
前記第１タイミングで前記可動体を移動させた場合、前記第２タイミングで前記可動体を移動させた場合と比較して、前記カウント表示の初期値が異なる、
ことを特徴とする遊技機。
【請求項３】
請求項１または請求項２に記載する遊技機において、
前記入力手段には、遊技者が操作可能な操作部があり、
前記入力手段の態様には、第１態様と、前記第１態様よりも前記操作部が上方に延出した第２態様と、があり、
前記演出制御手段は、
前記特別演出の後に遊技者からの入力操作を受け付ける際、前記入力手段の態様を前記第１態様から前記第２態様に変化させ、
前記可動体は、
前記第１位置が、前記第２位置よりも上方にある、
ことを特徴とする遊技機。
【請求項４】
請求項１から請求項３のいずれか１つに記載する遊技機において、
前記可動体のデザインのモチーフは、前記入力手段のデザインのモチーフと共通する、
ことを特徴とする遊技機。
【請求項５】
請求項１から請求項４のいずれか１つに記載する遊技機において、
前記演出制御手段は、
前記変動演出において、前記入力手段よる入力操作を含む所定の演出を実行可能とし、
前記所定の演出の実行中に前記特別演出を実行する場合と、
前記所定の演出の実行中に前記特別演出を実行しない場合と、がある、
ことを特徴とする遊技機。
【手続補正２】
【補正対象書類名】明細書
【補正対象項目名】０００７
【補正方法】変更
【補正の内容】
【０００７】
上記の課題を解決するため、本発明の遊技機は、
大当たりの抽選を行う抽選手段と、
遊技者からの入力操作を受け付ける入力手段と、
遊技者に視認し易い第１位置と、前記第１位置よりも遊技者に視認し難い第２位置と、に変位可能な可動体と、
数字表示が可能な表示手段と、
前記抽選手段による抽選の結果に基づく変動演出を実行可能な演出制御手段と、
を備え、
前記演出制御手段は、
前記変動演出において、所定のタイミングに達した場合に、前記可動体を前記第２位置から前記第１位置に移動させ、前記表示手段にて数字のカウント表示を行わせる特別演出を実行可能とし、
前記特別演出での前記カウント表示の終了後であって前記変動演出の実行が終了する前に、前記入力手段による入力操作を受け付ける、
ことを特徴としている。
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にするか否かの判定を行う判定手段と、
所定の画像表示装置を含む演出手段を用いて演出を実行可能な演出実行手段と、を備え、
前記演出実行手段は、複数の演出図柄を変動表示させた後、前記判定の結果を示す停止態様で停止表示させる変動演出を、前記画像表示装置に実行させることが可能な遊技機であって、
前記複数の演出図柄のうち前記画像表示装置の表示画面における一辺に最も近く表示される第１演出図柄と、前記一辺に対向する他辺に最も近く表示される第２演出図柄とが、異なる表示サイズで表示され得ることを特徴とする遊技機。
【請求項２】
請求項１に記載の遊技機であって、
前記第１演出図柄は、第１の遊技状態において前記第２演出図柄と同じサイズで表示される一方、第２の遊技状態において前記第２演出図柄と異なるサイズで表示されることを特徴とする遊技機。
【請求項３】
請求項１又は請求項２に記載の遊技機であって、
前記変動演出では前記第１演出図柄と前記第２演出図柄とによってリーチが形成されることを特徴とする遊技機。
【手続補正２】
【補正対象書類名】明細書
【補正対象項目名】０００６
【補正方法】変更
【補正の内容】
【０００６】
本発明の遊技機は、
遊技者に有利な特別遊技状態にするか否かの判定を行う判定手段と、
所定の画像表示装置を含む演出手段を用いて演出を実行可能な演出実行手段と、を備え、
前記演出実行手段は、複数の演出図柄を変動表示させた後、前記判定の結果を示す停止態様で停止表示させる変動演出を、前記画像表示装置に実行させることが可能な遊技機であって、
前記複数の演出図柄のうち前記画像表示装置の表示画面における一辺に最も近く表示される第１演出図柄と、前記一辺に対向する他辺に最も近く表示される第２演出図柄とが、異なる表示サイズで表示され得ることを特徴とする遊技機である。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
所定の演出を実行可能な演出実行手段を備え、
前記演出実行手段は、
所定の領域が徐々に出現する特定演出を実行可能であり、
前記所定の領域の態様には複数種類あり、
前記特定演出の前記所定の領域の態様がどの種類の態様であるかが、第１のタイミングで判別可能になるときと、第２のタイミングで判別可能になるときとがあることを特徴とする遊技機。
【請求項２】
請求項１に記載の遊技機であって、
前記所定の領域の分割数によって前記所定の領域の態様の種類が異なり、
前記特定演出の前記所定の領域の分割数が、第１のタイミングで判別可能になるときと、第２のタイミングで判別可能になるときとがあることを特徴とする遊技機。
【請求項３】
請求項１又は請求項２に記載の遊技機であって、
表示部を含む表示装置を備え、
前記特定演出とは、前記表示部に表示される演出であることを特徴とする遊技機。
【請求項４】
請求項３に記載の遊技機であって、
可動体を備え、
前記特定演出は、
前記可動体の動作を伴う演出であり、前記可動体の動作を伴って前記所定の領域が出現する演出になっていることを特徴とする遊技機。
【請求項５】
請求項１から請求項４までのいずれか１項に記載の遊技機であって、
前記特定演出の実行中において、前記第１のタイミングの直前に前記所定の領域が出現する出現速度、および、前記第２のタイミングの直前に前記所定の領域が出現する出現速度の少なくとも一方がその他のタイミングの出現速度よりも遅くなっていることを特徴とする遊技機。
【手続補正２】
【補正対象書類名】明細書
【補正対象項目名】０００５
【補正方法】変更
【補正の内容】
【０００５】
本発明の遊技機は、
所定の演出を実行可能な演出実行手段を備え、
前記演出実行手段は、
所定の領域が徐々に出現する特定演出を実行可能であり、
前記所定の領域の態様には複数種類あり、
前記特定演出の前記所定の領域の態様がどの種類の態様であるかが、第１のタイミングで判別可能になるときと、第２のタイミングで判別可能になるときとがあることを特徴とする。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
表示領域を有する表示装置と、
前記表示領域の左右方向における一方側に表示される第一識別図柄、他方側に表示される第二識別図柄、および、当該第一識別図柄と第二識別図柄の間に表示される中識別図柄の組み合わせにより当否判定結果を報知する報知手段と、
前記第一識別図柄の種類が示された後、前記第二識別図柄の種類が前記第一識別図柄と同じとなるか否かを、前記表示領域の中央にて示す図柄演出を実行する演出実行手段と、
を備えることを特徴とする遊技機。
【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技の進行を制御する遊技制御手段と、
複数の電子部品が搭載され、前記遊技制御手段から受信した特定情報に基づいて演出を制御する演出制御手段と、
遊技機に対する電力供給が停止しても記憶内容を保持可能であり、前記複数の電子部品に関する情報を記憶可能な記憶手段と、を備え、
前記演出制御手段は、
外部装置によって送信されるテスト情報を受信可能であり、
前記複数の電子部品における異常な事象が発生した場合に、前記情報を前記記憶手段に書き込む書込処理を実行可能であり、
受信した複数のテスト情報の組み合わせにより、前記記憶手段の検査処理を実行可能であり、
異常な事象として第１異常事象に対応した第１情報を記憶させる場合に、複数の記憶領域に同一の前記情報を記憶させ、
異常な事象として第２異常事象に対応した第２情報を記憶させる場合に、前記複数の記憶領域よりも少ない記憶領域に前記情報を記憶させ、
前記記憶手段は、
前記第１異常事象が発生した場合に、前記第１情報が日時情報として記憶され、
前記第２異常事象が発生した場合に、前記第２情報が日時情報として記憶され、
前記複数のテスト情報を受信中に、当該テスト情報の組み合わせ以外の制御情報を受信した場合は、前記検査処理を実行しない、
ことを特徴とする遊技機。
【手続補正２】
【補正対象書類名】明細書
【補正対象項目名】０００６
【補正方法】変更
【補正の内容】
【０００６】
（１）上記目的を達成するために、本願の請求項に係る遊技機は、遊技を行うことが可能な遊技機（例えばパチンコ遊技機１など）であって、遊技の進行を制御する遊技制御手段と、複数の電子部品が搭載され、前記遊技制御手段から受信した特定情報に基づいて演出を制御する演出制御手段（例えば演出制御用マイクロコンピュータ１２０など）と、遊技機に対する電力供給が停止しても記憶内容を保持可能であり、前記複数の電子部品に関する情報を記憶可能な記憶手段（例えばバックアップデータメモリ２１０Ａ〜２１０Ｄなど）とを備え、前記演出制御手段は、外部装置によって送信されるテスト情報を受信可能であり、前記複数の電子部品における異常な事象が発生した場合に、前記情報を前記記憶手段に書き込む書込処理（例えばメモリ書込処理部４３ＡＫＭ１１、４３ＡＫＭ１２による書込処理など）を実行可能であり、受信した複数のテスト情報の組み合わせにより、前記記憶手段の検査処理を実行可能であり、異常な事象として第１異常事象に対応した第１情報を記憶させる場合に、複数の記憶領域（例えばバックアップ記憶部４３ＡＫＡ１１〜４３ＡＫＡ１３など）に同一の情報を記憶させ、異常な事象として第２異常事象に対応した第２情報を記憶させる場合に、前記複数の記憶領域よりも少ない記憶領域（例えばバックアップ記憶部４３ＡＫＡ２１など）に情報を記憶させ、前記記憶手段は、前記第１異常事象が発生した場合に、前記第１情報が日時情報として記憶され、前記第２異常事象が発生した場合に、前記第２情報が日時情報として記憶され、前記複数のテスト情報を受信中に、当該テスト情報の組み合わせ以外の制御情報を受信した場合は、前記検査処理を実行しない。
このような構成によれば、情報を適切に管理可能となる。
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
電子部品を制御可能な制御手段と、
制御信号を出力可能な出力手段と、
前記電子部品に関する情報を記憶可能な記憶手段と、を備え、
前記制御手段は、遊技の進行に伴い制御コマンドが送信される基板とは異なる外部装置から、複数のテストコマンドの組み合わせを受信し、予め定められた受信順序が全て合致した場合に、前記記憶手段を検査する検査処理を実行可能であり、
前記出力手段は、
前記制御手段による抽選結果に基づいて、制御情報の少なくとも一部に応じた制御信号を出力可能な第１出力手段と、
前記第１出力手段とは異なる第２出力手段と、を含み、
前記第１出力手段は、前記制御手段による抽選結果に基づかない制御情報に応じた制御信号を出力可能であり、
前記複数のテストコマンドの組み合わせを受信中に、受信したテストコマンドの組み合わせが予め定められた受信順序に合致しない場合、前記検査処理は実行されない、
ことを特徴とする遊技機。
【手続補正２】
【補正対象書類名】明細書
【補正対象項目名】０００６
【補正方法】変更
【補正の内容】
【０００６】
（Ａ）上記目的を達成するために、本願の請求項に係る遊技機は、
遊技を行うことが可能な遊技機であって、
電子部品を制御可能な制御手段と、
制御信号を出力可能な出力手段と、
前記電子部品に関する情報を記憶可能な記憶手段と、を備え、
前記制御手段は、遊技の進行に伴い制御コマンドが送信される基板とは異なる外部装置から、複数のテストコマンドの組み合わせを受信し、予め定められた受信順序が全て合致した場合に、前記記憶手段を検査する検査処理を実行可能であり、
前記出力手段は、
前記制御手段による抽選結果に基づいて、制御情報の少なくとも一部に応じた制御信号を出力可能な第１出力手段と、
前記第１出力手段とは異なる第２出力手段と、を含み、
前記第１出力手段は、前記制御手段による抽選結果に基づかない制御情報に応じた制御信号を出力可能であり、
前記複数のテストコマンドの組み合わせを受信中に、受信したテストコマンドの組み合わせが予め定められた受信順序に合致しない場合、前記検査処理は実行されない、
ことを特徴とする。
（１）上記目的を達成するために、他の態様に係る遊技機は、遊技を行うことが可能な遊技機（例えばパチンコ遊技機１など）であって、電子部品を制御可能な制御手段（例えば演出制御用マイクロコンピュータ１２０など）と、制御信号を出力可能な出力手段（例えばコネクタ１５２〜１５６など）とを備え、前記出力手段は、前記制御手段による抽選結果に基づいて、制御情報の少なくとも一部に応じた制御信号を出力可能な第１出力手段（例えばコネクタ１５２、１５３、１５５など）と、前記第１出力手段とは異なる第２出力手段（例えばコネクタ１５４など）とを含む。
このような構成によれば、情報を適切に管理可能となる。
【手続補正書】
【提出日】令和3年10月8日(2021.10.8)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
第１電子部品を制御可能な第１制御手段と、
第２電子部品を制御可能な第２制御手段と、
遊技機に対する電力供給が停止しても記憶内容を保持可能であり、前記第１制御手段および前記第２制御手段に関する情報を記憶可能な記憶手段と、を備え、
前記第１制御手段および前記第２制御手段は、
書込条件が成立した場合に、前記情報を前記記憶手段に書き込む書込処理と、
遊技の進行に伴い制御コマンドが送信される基板とは異なる外部装置から、複数のテストコマンドの組み合わせを受信し、予め定められた受信順序が全て合致した場合に、前記記憶手段を検査する検査処理と、を実行可能であり、
前記記憶手段は、
前記第１制御手段に関する情報を記憶可能な第１記憶手段と、
前記第１記憶手段とは異なり、前記第２制御手段に関する情報を記憶可能な第２記憶手段と、を含み、
前記第１制御手段に関する情報が書き込まれる場合に、前記第２制御手段に関する情報が書き込まれる場合と異なる処理の実行が可能であり、
前記複数のテストコマンドの組み合わせを受信中に、受信したテストコマンドの組み合わせが予め定められた受信順序に合致しない場合、前記検査処理を実行しない、
ことを特徴とする遊技機。
【手続補正２】
【補正対象書類名】明細書
【補正対象項目名】０００６
【補正方法】変更
【補正の内容】
【０００６】
（Ａ）上記目的を達成するために、本願の請求項に係る遊技機は、
遊技を行うことが可能な遊技機であって、
第１電子部品を制御可能な第１制御手段と、
第２電子部品を制御可能な第２制御手段と、
遊技機に対する電力供給が停止しても記憶内容を保持可能であり、前記第１制御手段および前記第２制御手段に関する情報を記憶可能な記憶手段と、を備え、
前記第１制御手段および前記第２制御手段は、
書込条件が成立した場合に、前記情報を前記記憶手段に書き込む書込処理と、
遊技の進行に伴い制御コマンドが送信される基板とは異なる外部装置から、複数のテストコマンドの組み合わせを受信し、予め定められた受信順序が全て合致した場合に、前記記憶手段を検査する検査処理と、を実行可能であり、
前記記憶手段は、
前記第１制御手段に関する情報を記憶可能な第１記憶手段と、
前記第１記憶手段とは異なり、前記第２制御手段に関する情報を記憶可能な第２記憶手段と、を含み、
前記第１制御手段に関する情報が書き込まれる場合に、前記第２制御手段に関する情報が書き込まれる場合と異なる処理の実行が可能であり、
前記複数のテストコマンドの組み合わせを受信中に、受信したテストコマンドの組み合わせが予め定められた受信順序に合致しない場合、前記検査処理を実行しない。
このような構成によれば、情報を適切に管理可能となる。
（１）上記目的を達成するために、他の態様に係る遊技機は、遊技を行うことが可能な遊技機（例えばパチンコ遊技機１など）であって、第１電子部品を制御可能な第１制御手段（例えば第１制御部４４ＡＫ１０Ａなど）と、第２電子部品を制御可能な第２制御手段（例えば第２制御部４４ＡＫ１０Ｂなど）と、遊技機に対する電力供給が停止しても記憶内容を保持可能であり、前記第１制御手段および前記第２制御手段に関する情報を記憶可能な記憶手段（例えばバックアップデータメモリ２１０Ａ〜２１０Ｄなど）とを備え、書込条件が成立した場合に、前記情報を前記記憶手段に書き込む書込処理を実行可能であり、前記記憶手段は、前記第１制御手段に関する情報を記憶可能な第１記憶手段（例えば第１バックアップ記憶部４４ＡＫ１１Ａなど）と、前記第１記憶手段とは異なり、前記第２制御手段に関する情報を記憶可能な第２記憶手段（例えば第２バックアップ記憶部４４ＡＫ１１Ｂなど）とを含む。
このような構成によれば、情報を適切に管理可能となる。
【手続補正書】
【提出日】令和3年6月24日(2021.6.24)
【手続補正１】
【補正対象書類名】特許請求の範囲
【補正対象項目名】全文
【補正方法】変更
【補正の内容】
【特許請求の範囲】
【請求項１】
加速度センサ、前記加速度センサによる検出値に基づいて活動量を演算する処理部、及び記憶部を備えた基板と、
表示手段と、
前記表示手段における情報の表示指令を実行する表示指令手段と、
前記表示指令手段からの指令に基づいて前記表示手段を制御する表示制御手段と、
を備え、
前記表示制御手段は、
前記活動量を含む第１情報を表示する第１表示制御モードと、前記活動量以外の第２情報を表示する第２表示制御モードと、前記第１情報又は前記第２情報を表示させない第３表示制御モードと、を前記表示指令手段からの指令に基づいて切り替える、
活動量計。
【請求項２】
前記第２表示制御モードでは、活動量計の利用者の個人情報が表示される、
請求項１に記載の活動量計。
【請求項３】
前記第３表示制御モードでは、前記表示手段への電源供給を停止する、
請求項１又は請求項２に記載の活動量計。
【手続補正２】
【補正対象書類名】明細書
【補正対象項目名】発明の名称
【補正方法】変更
【補正の内容】
【発明の名称】活動量計
【手続補正３】
【補正対象書類名】明細書
【補正対象項目名】０００１
【補正方法】変更
【補正の内容】
【０００１】
本発明は、活動量計に関する。
【手続補正４】
【補正対象書類名】明細書
【補正対象項目名】０００６
【補正方法】変更
【補正の内容】
【０００６】
上記歩数計において歩数を表示する場合、歩数を常時表示するのが一般的である。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
このような事情に鑑み、本発明は、表示可能としつつ情報の漏洩を抑制することを目的とする。
【手続補正８】
【補正対象書類名】明細書
【補正対象項目名】００１２
【補正方法】変更
【補正の内容】
【００１２】
この態様によれば、表示可能としつつ情報の漏洩を抑制することができる。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
所定の始動条件が成立することに基づいて図柄の変動表示を行い、該図柄の変動表示の結果に基づいて遊技者に利益を付与する遊技機において、
所定の遊技領域が形成される遊技盤と、
前記遊技盤に設けられ、遊技機前方側から視認可能な所定の装飾部を発光装飾する発光部と、
前記遊技盤に設けられ、遊技機の後方側に膨出する後方膨出部と、
前記後方膨出部に設けられる透過部と、
前記遊技盤に設けられ、遊技機前方側から視認可能に動作する可動体と、を備え、
前記発光部は、前記可動体とは別に設けられており、該発光部が発した光が前記透過部を通じて遊技機の後方側から視認可能とされるように配置構成されたものであり、
前記可動体の動作有無によって、前記透過部を通じて遊技機の後方側から視認可能とされる前記発光部の光の視認態様が変化するようにしたものであり、
さらに、前記発光部が表面側に実装される発光基板を設け、
該発光基板には、複数の孔部が形成され、該複数の孔部から前記発光部の光が漏光しうる
ことを特徴とする遊技機。
ことを特徴とする遊技機。
【手続補正２】
【補正対象書類名】明細書
【補正対象項目名】０００６
【補正方法】変更
【補正の内容】
【０００６】
本発明は、
所定の始動条件が成立することに基づいて図柄の変動表示を行い、該図柄の変動表示の結果に基づいて遊技者に利益を付与する遊技機において、
所定の遊技領域が形成される遊技盤と、
前記遊技盤に設けられ、遊技機前方側から視認可能な所定の装飾部を発光装飾する発光部と、
前記遊技盤に設けられ、遊技機の後方側に膨出する後方膨出部と、
前記後方膨出部に設けられる透過部と、
前記遊技盤に設けられ、遊技機前方側から視認可能に動作する可動体と、を備え、
前記発光部は、前記可動体とは別に設けられており、該発光部が発した光が前記透過部を通じて遊技機の後方側から視認可能とされるように配置構成されたものであり、
前記可動体の動作有無によって、前記透過部を通じて遊技機の後方側から視認可能とされる前記発光部の光の視認態様が変化するようにしたものであり、
さらに、前記発光部が表面側に実装される発光基板を設け、
該発光基板には、複数の孔部が形成され、該複数の孔部から前記発光部の光が漏光しうる
ことを特徴とする。
【手続補正３】
【補正対象書類名】明細書
【補正対象項目名】０００７
【補正方法】削除
【補正の内容】
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
所定の形状で立体的に膨出している立体部を備えた装飾部材を有する遊技機であって、
前記装飾部材は前記立体部の基端よりも内側の範囲に着色された装飾からなる加飾部を備え、該加飾部の周縁と前記立体部の基端との間の前記立体部に設けられている余白部を持ち、該余白部の面積は、前記加飾部の面積よりも小さな面積である
ことを特徴とする遊技機。
【手続補正２】
【補正対象書類名】明細書
【補正対象項目名】０００２
【補正方法】変更
【補正の内容】
【０００２】
パチンコ機やスロットマシンのような遊技機として、立体的な形状に形成されている成型部と、成型部に施されている所定の絵柄の装飾層と、を有している装飾部材が提案されている（特許文献１）。この特許文献１の技術では、絵柄における所定のキャラクタの部位を、圧空成型により立体的なレリーフ状に形成することで、絵柄のキャラクタを浮き出させて、装飾部材の装飾効果をより高められるようにしている。
【手続補正３】
【補正対象書類名】明細書
【補正対象項目名】０００３
【補正方法】変更
【補正の内容】
【０００３】
しかしながら、特許文献１のような技術では、立体的な装飾部材を成型した際に、絵柄における所定のキャラクタの周縁が、立体的な部位（立体部）の周縁よりも外側に位置していると、キャラクタの絵柄が立体部からはみだして見えるため、キャラクタの絵柄と立体部とによる装飾が不自然なものに見えてしまい、遊技者の興趣を低下させてしまう問題があった。
【手続補正４】
【補正対象書類名】明細書
【補正対象項目名】０００４
【補正方法】変更
【補正の内容】
【０００４】
【特許文献１】特開２０１７−６１１２５号公報
【手続補正５】
【補正対象書類名】明細書
【補正対象項目名】０００５
【補正方法】変更
【補正の内容】
【０００５】
そこで、本発明は、上記の実情に鑑み、装飾部材による装飾効果を確実に発揮させることで遊技者の興趣の低下を抑制させることが可能な遊技機の提供を課題とするものである。
【手続補正６】
【補正対象書類名】明細書
【補正対象項目名】０００６
【補正方法】変更
【補正の内容】
【０００６】
手段：遊技機において、
「所定の形状で立体的に膨出している立体部を備えた装飾部材を有する遊技機であって、
前記装飾部材は前記立体部の基端よりも内側の範囲に着色された装飾からなる加飾部を備え、該加飾部の周縁と前記立体部の基端との間の前記立体部に設けられている余白部を持ち、該余白部の面積は、前記加飾部の面積よりも小さな面積である」ものであることを特徴とする。
また、本発明とは異なる別の発明として以下の発明を開示する。
手段１：遊技機において、
「薄板状の透明なベースシート、該ベースシートに設けられており所定の絵柄からなる加飾層、該加飾層の後面側に設けられており明度の高い色からなる下地層、前記ベースシートにおける前記加飾層の少なくとも一部が設けられている部位において前方へ膨出している立体部、を有している装飾体と、
該立体部の後方に配置され、白色塗膜が形成されている前面、該前面に実装されている複数のＬＥＤ、前記白色塗膜とは異なる黄色塗膜で形成されており実装される前記ＬＥＤを特定するための情報が表記された情報表記部、を有している装飾基板と
を具備している」ものであることを特徴とする。
【手続補正７】
【補正対象書類名】明細書
【補正対象項目名】００９２
【補正方法】変更
【補正の内容】
【００９２】
このように、本発明によれば、装飾部材による装飾効果を確実に発揮させることで遊技者の興趣の低下を抑制させることが可能な遊技機を提供することができる。
【手続補正書】
【提出日】令和3年5月26日(2021.5.26)
【手続補正１】
【補正対象書類名】特許請求の範囲
【補正対象項目名】全文
【補正方法】変更
【補正の内容】
【特許請求の範囲】
【請求項１】
所定の形状で立体的に膨出している立体部を備えた装飾部材を有する遊技機であって、
前記装飾部材は前記立体部の基端よりも内側の範囲に着色された装飾からなる加飾部を備え、該加飾部の周縁と前記立体部の基端との間の前記立体部に設けられている余白部を持ち、該余白部の下端は、前記立体部の基端に沿って設けられている
ことを特徴とする遊技機。
【手続補正２】
【補正対象書類名】明細書
【補正対象項目名】０００６
【補正方法】変更
【補正の内容】
【０００６】
手段：遊技機において、
「所定の形状で立体的に膨出している立体部を備えた装飾部材を有する遊技機であって、
前記装飾部材は前記立体部の基端よりも内側の範囲に着色された装飾からなる加飾部を備え、該加飾部の周縁と前記立体部の基端との間の前記立体部に設けられている余白部を持ち、該余白部の下端は、前記立体部の基端に沿って設けられている」ものであることを特徴とする。
また、本発明とは異なる別の発明として以下の発明を参考として開示する。
手段１：遊技機において、
「所定の形状で立体的に膨出している立体部、及び該立体部の周縁よりも内側の範囲に施されている所定の絵柄からなる層状の加飾部、を有している装飾部材を、
具備している」ものであることを特徴とする。
【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
被処理領域を含む第１主面と、前記第１主面とは反対側の第２主面と、前記第１主面と前記第２主面とを結ぶ端面とを有する基板を保持する基板ホルダであって、
前記被処理領域を露出させる開口を有する第１枠体と、
締結手段によって前記第１枠体に締結された第２枠体と、を備え、
前記第１枠体は、前記第１主面の前記被処理領域の外側の周縁領域に当接する第１当接部を有し、
前記第２枠体は、前記第２主面の前記周縁領域に対応する位置に当接する第２当接部と、前記端面に当接する第３当接部と、を有し、
前記第１主面と前記端面とのなす第１の角、及び、前記第２主面と前記端面とのなす第２の角のそれぞれが、前記第１枠体及び前記第２枠体のいずれからも離間するように、前記第１当接部、前記第２当接部、及び前記第３当接部が前記基板を保持することを特徴とする基板ホルダ。
【請求項２】
前記第１当接部は、前記第１の角から内側に離れた位置で前記第１主面に当接し、
前記第２当接部は、前記第２の角から内側に離れた位置で前記第２主面に当接し、
前記第３当接部は、前記第１の角及び前記第２の角のそれぞれから内側に離れた位置で前記端面に当接することを特徴とする請求項１に記載の基板ホルダ。
【請求項３】
前記第１枠体は、前記第１当接部の外側に、前記第１枠体と前記第１の角との間に隙間を形成するための溝部を有することを特徴とする請求項１または２に記載の基板ホルダ。
【請求項４】
前記第２枠体は、前記第２当接部の外側に、前記第２枠体と前記第２の角との間に隙間を形成するための溝部を有することを特徴とする請求項１〜３のいずれか１項に記載の基板ホルダ。
【請求項５】
前記第２枠体が前記第３当接部を複数備えることを特徴とする請求項１〜４のいずれか１項に記載の基板ホルダ。
【請求項６】
前記第１主面及び前記第２主面のそれぞれは、４辺を有する矩形であり、
前記端面は、前記４辺のそれぞれに対応して区分けされた第１ないし第４の部分を含み
、
前記第３当接部が前記端面の第１の部分に当接し、
前記第１の部分に対向する第２の部分は、前記第１枠体及び前記第２枠体のいずれからも離間することを特徴とする請求項１〜５のいずれか１項に記載の基板ホルダ。
【請求項７】
請求項１〜６のいずれか１項に記載の基板ホルダを、前記第１主面及び前記第２主面のそれぞれが鉛直方向に沿うように前記基板を保持した状態で搬送する搬送手段を備えることを特徴とする基板処理装置。
【請求項８】
前記基板の、前記第３当接部に当接した端面が、鉛直方向下方に位置することを特徴とする請求項７に記載の基板処理装置。
【請求項９】
前記基板の前記被処理領域に成膜処理を行う成膜手段を備えることを特徴とする請求項７または８に記載の基板処理装置。
【手続補正２】
【補正対象書類名】明細書
【補正対象項目名】０００６
【補正方法】変更
【補正の内容】
【０００６】
上記目的を達成するため、本発明の基板ホルダは、
被処理領域を含む第１主面と、前記第１主面とは反対側の第２主面と、前記第１主面と前記第２主面とを結ぶ端面とを有する基板を保持する基板ホルダであって、
前記被処理領域を露出させる開口を有する第１枠体と、
締結手段によって前記第１枠体に締結された第２枠体と、を備え、
前記第１枠体は、前記第１主面の前記被処理領域の外側の周縁領域に当接する第１当接部を有し、
前記第２枠体は、前記第２主面の前記周縁領域に対応する位置に当接する第２当接部と、前記端面に当接する第３当接部と、を有し、
前記第１主面と前記端面とのなす第１の角、及び、前記第２主面と前記端面とのなす第２の角のそれぞれが、前記第１枠体及び前記第２枠体のいずれからも離間するように、前記第１当接部、前記第２当接部、及び前記第３当接部が前記基板を保持することを特徴とする。
【手続補正書】
【提出日】令和3年3月4日(2021.3.4)
【手続補正１】
【補正対象書類名】特許請求の範囲
【補正対象項目名】全文
【補正方法】変更
【補正の内容】
【特許請求の範囲】
【請求項１】
化合物ＣＦ3ＣＦ＝ＣＨＣｌ（１−クロロ−２，３，３，３−テトラフルオロプロペン、１２２４ｙｄ）を製造する方法であって、化合物ＣＦ3ＣＦ＝ＣＣｌ2（１，１−ジクロロ−２，３，３，３−テトラフルオロプロペン、１２１４ｙａ）を、Ｃｕ、Ｃｕ−Ｐｄ又はＮｉ−Ｃｕを含む触媒の存在下、水素と接触及び反応させるプロセスを含む方法。
【請求項２】
前記触媒は、支持体を含む、請求項１に記載の方法。
【手続補正書】
【提出日】令和3年7月29日(2021.7.29)
【手続補正１】
【補正対象書類名】特許請求の範囲
【補正対象項目名】全文
【補正方法】変更
【補正の内容】
【特許請求の範囲】
【請求項１】
有機アミド溶媒中で、硫黄源及びジハロ芳香族化合物を含有する混合物を加熱して重合反応を開始させ、反応混合物を生成させる第１重合工程と、
前記第１重合工程後に、前記反応混合物に相分離剤を添加する相分離剤添加工程と、
前記相分離剤添加工程後に２４０℃以上、２９０℃以下の所定の第１の温度（Ｔ１）で１０分以上保持して重合反応を継続する第２重合工程と、
前記第２重合工程後に、２３５℃以上、２４５℃以下の所定の第２の温度（Ｔ２）で０．１時間以上２時間未満保持して重合反応を継続する第３重合工程と、
前記第３重合工程後に、２４０℃以上、２５０℃未満の所定の第３の温度（Ｔ３）で重合反応を継続する第４重合工程と、を含み、
前記Ｔ１、Ｔ２、及びＴ３の関係が、Ｔ１＞Ｔ３＞Ｔ２である、
ポリアリーレンスルフィドの製造方法。
【請求項２】
前記Ｔ１及びＴ３の関係が、Ｔ１−Ｔ３＞５℃である、請求項１に記載のポリアリーレンスルフィドの製造方法。
【請求項３】
前記第１重合工程において、前記ジハロ芳香族化合物の転化率が５０〜９８モル％となるまで重合を行う、請求項１または２に記載のポリアリーレンスルフィドの製造方法。
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
電気導通検査に供せられる垂直プローブ用の治具であって、上側ホールプレートと下側ホールプレートの相対的位置を駆動位置決めする手段を設けた上で、垂直プローブの素材としての真直ピンの上下端を、前記の上下のホールプレートに設けられた貫通穴に通し拘束した上で、前記上下のホールプレートの位置を相対的に移動位置決めして、前記真直ピンを軸方向に圧縮して座屈変形させて塑性変形させ、上下のホールプレートの間を弓型形状とした垂直プローブにすると共に、前記の上側ホールプレートの下側面近傍と、前記の下側ホールプレートの上面近傍において、塑性変形による屈折点を有する垂直プローブを形成するようにしたこと、を特徴とする垂直プローブ用の治具。
【請求項２】
請求項１の治具で製造される垂直プローブであって、上下のホールプレートの間で弓型形状を有し、前記の上側ホールプレートの下側面近傍と、前記の下側ホールプレートの上面近傍において、塑性変形による屈折点を設けたこと、を特徴とする垂直プローブ。
【請求項３】
前記請求項２の垂直プローブ用治具において、塑性変形によって上下ホールプレート間を弓型形状とした垂直プローブに残留する、スプリングバックの原因となる残留歪を除去するために、前記上下のホールプレートの相対的位置を、前記残留歪を解除する方向と量だけ位置修正するようにしたこと、を特徴とする垂直プローブ用の治具。
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
分離カラムを通る第１の流路と、
分離カラムを通らない第２の流路と、
前記第１の流路及び前記第２の流路の下流側に設けられ、前記第１の流路を通過した試料を分析する質量分析部と、
前記第１の流路及び前記第２の流路のうちいずれか一方を前記質量分析部に接続する第１のバルブと、
前記第１の流路に送液する第１の送液ポンプと、
前記第２の流路に送液する第２の送液ポンプと、
前記第１のバルブ、前記第１の送液ポンプ及び前記第２の送液ポンプの駆動を制御する制御部と、
前記第２の流路の圧力を測定し、前記制御部に出力する圧力計と、を備え、
前記制御部は、
前記質量分析部における前記試料の分析の際に、前記第１の流路を前記質量分析部に接続し、前記第１の送液ポンプから前記第１の流路を通して前記質量分析部に送液し、
前記質量分析部の測定値と所定の閾値とを比較して、異常であると判定した場合に、前記第２の流路を前記質量分析部に接続し、前記第２の送液ポンプから前記第２の流路を通して前記質量分析部に送液するように前記第１のバルブ、前記第１の送液ポンプ及び前記第２の送液ポンプを駆動することを特徴とする液体クロマトグラフ質量分析装置。
【請求項２】
請求項１に記載の液体クロマトグラフ質量分析装置であって、
前記制御部は、前記第１のバルブを駆動した後に、前記圧力計により測定された前記第２の流路の圧力により、前記質量分析部のイオン源に詰まりが生じたか否かを判断することを特徴とする液体クロマトグラフ質量分析装置。
【請求項３】
請求項２に記載の液体クロマトグラフ質量分析装置であって、
前記制御部は、前記質量分析部のイオン源には詰まりが生じていないと判断した場合、前記分離カラム側に詰まりが生じたと判断することを特徴とする液体クロマトグラフ質量分析装置。
【請求項４】
請求項１に記載の液体クロマトグラフ質量分析装置であって、
前記第１の送液ポンプ及び前記第２の送液ポンプは、異なる圧力で送液することを特徴とする液体クロマトグラフ質量分析装置。
【請求項５】
請求項１に記載の液体クロマトグラフ質量分析装置であって、
複数の前記第１の流路と、
前記複数の前記第１の流路にそれぞれ設けられる複数の前記分離カラムと、
前記複数の前記第１の流路のいずれかに流路を切り替える第２のバルブと、をさらに備えることを特徴とする液体クロマトグラフ質量分析装置。
【請求項６】
請求項５に記載の液体クロマトグラフ質量分析装置であって、
前記複数の前記分離カラムに並列に設けられる中空のカラムをさらに備え、
前記第２の流路は、前記中空のカラムを通る流路であり、
前記第２のバルブは、前記複数の前記第１の流路又は前記第２の流路のいずれかに流路を切り替えることを特徴とする液体クロマトグラフ質量分析装置。
【請求項７】
請求項１に記載の液体クロマトグラフ質量分析装置であって、
前記質量分析部は、複数のイオン源プローブと、前記複数のイオン源プローブを切り替える第３のバルブと、を備え、
前記制御部は、前記第２の流路を前記質量分析部に接続するように前記第１のバルブを駆動した後、前記第３のバルブを駆動して、前記複数のイオン源プローブを切り替えることを特徴とする液体クロマトグラフ質量分析装置。
【手続補正書】
【提出日】令和3年3月18日(2021.3.18)
【手続補正１】
【補正対象書類名】明細書
【補正対象項目名】０００５
【補正方法】変更
【補正の内容】
【０００５】
試料上で測定対象として任意の形状の領域が指定された場合、従来のイメージング質量分析装置では次のような手順で分析が実行される。
【手続補正２】
【補正対象書類名】明細書
【補正対象項目名】００２８
【補正方法】変更
【補正の内容】
【００２８】
なお、空間分解能つまりは測定点ピッチが予め一つに決まっている場合には、測定点ピッチの情報を制御データに含める必要はない。また、測定領域１１０に対して制御対象領域１１２を決める際に、Ｘ’軸及びＹ’軸をＸ軸及びＹ軸に一致させる、つまりは角度θを常に０とする場合には角度θの情報を制御データに含める必要はない。
【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
下記成分Ａ、Ｂ及びＣを含有し、成分Ｂの消臭剤の含有量が１００ｐｐｍ以上５質量％以下であり、
成分ＡのシリコーングラフトポリマーのＩＯＢ値と成分Ｂの消臭剤のＩＯＢ値との比率が、前者／後者として、０．４以上３．０以下である繊維処理剤。
成分Ａ：シロキサン結合を有する主鎖と、分子量８００以上の側鎖とを有し、ＩＯＢ値が０．７以上であるシリコーングラフトポリマー
成分Ｂ：消臭剤
成分Ｃ：有機溶剤
【請求項２】
成分Ｂの消臭剤が植物由来エキスである請求項１に記載の繊維処理剤。
【請求項３】
成分Ｂの消臭剤がポリフェノールを含有する請求項１又は２に記載の繊維処理剤。
【請求項４】
シート状固形物である請求項１〜３の何れか１項に記載の繊維処理剤。
【請求項５】
スティック状固形物である請求項１〜３の何れか１項に記載の繊維処理剤。
【請求項６】
請求項１〜３の何れか１項に記載の繊維処理剤をスプレー容器に充填してなる、スプレー製品。
【請求項７】
請求項１〜３の何れか１項に記載の繊維処理剤をロールオン容器に充填してなる、ロールオン製品。
【手続補正書】
【提出日】令和3年1月28日(2021.1.28)
【手続補正１】
【補正対象書類名】特許請求の範囲
【補正対象項目名】全文
【補正方法】変更
【補正の内容】
【特許請求の範囲】
【請求項１】
下記成分Ａ、Ｂ及びＣを含有し、成分Ｂの抗菌剤の含有量が４ｐｐｍ以上であり、
成分ＡのシリコーングラフトポリマーのＩＯＢ値と成分Ｂの抗菌剤のＩＯＢ値との比率が、前者／後者として、０．４以上３．０以下である繊維処理剤。
成分Ａ：シロキサン結合を有する主鎖と、分子量８００以上の側鎖とを有し、ＩＯＢ値が０．７以上であるシリコーングラフトポリマー
成分Ｂ：抗菌剤
成分Ｃ：有機溶剤
【請求項２】
成分Ｂの抗菌剤がピロクトンオラミンである請求項１に記載の繊維処理剤。
【請求項３】
シート状固形物である請求項１又は２に記載の繊維処理剤。
【請求項４】
スティック状固形物である請求項１又は２に記載の繊維処理剤。
【請求項５】
請求項１又は２に記載の繊維処理剤をスプレー容器に充填してなる、スプレー製品。
【請求項６】
請求項１又は２に記載の繊維処理剤をロールオン容器に充填してなる、ロールオン製品。
【手続補正書】
【提出日】令和3年9月14日(2021.9.14)
【手続補正１】
【補正対象書類名】特許請求の範囲
【補正対象項目名】請求項１
【補正方法】変更
【補正の内容】
【請求項１】
内燃エンジンにガスを供給するためのパイプライン（１）であって、
前記ガス用の流路を形成するパイプライン断面（Ｄ）と、ガス流量を測定するためのガス測定装置（２）とを有し、
特徴として、
前記パイプライン（１）は、前記ガス測定装置（２）の上流にワイヤ構造体で形成された混合要素（３）を含み、
前記混合要素（３）は、前記混合要素（３）の上流に存在する不均質な流れプロファイル（Ｓ１）を均質化するために、前記ガスに影響を与えるのに、好ましくは前記ガスを充分に混合するのに、役立つものである、
パイプライン。
【手続補正２】
【補正対象書類名】明細書
【補正対象項目名】０００１
【補正方法】変更
【補正の内容】
【０００１】
本発明は、ガスを、特に空気を、内燃エンジン（機関）に供給するためのパイプラインであって、ガス用の流路を形成するパイプライン断面と、ガス流量を測定するためのガス測定装置（好ましくはガス質量測定装置）とを有するパイプラインに関する。
【手続補正３】
【補正対象書類名】明細書
【補正対象項目名】０００２
【補正方法】変更
【補正の内容】
【０００２】
内燃エンジンに関する現在の排気ガス規格に準拠させるために、内燃エンジンに供給される空気量は可能な限り正確に決定されなければならない。このために、加熱ワイヤまたは加熱フィルムの原理によって動作するパイプラインにおいて主に空気質量計を使用する。空気の流速は、通常、パイプライン断面内の或る複数の点においてだけ測定される。僅かな頻度で使用される低い超音波センサでは、通常、測定はパイプライン断面におけるライン（線）に沿って行われる。測定がパイプライン断面の非常に小さい領域でのみ行われるので、その測定結果は、パイプライン断面に存在する流れプロファイル（分布外形）に大きく依存する。しかし、流れプロファイルは、通常、不均一または不均質であり、それは、例えば、湾曲したパイプライン部、各部品の設置公差、各部品の経年劣化（エージング）および変形のような外乱要因（perturbing factors：擾乱、妨害、干渉）に起因する。
【手続補正４】
【補正対象書類名】明細書
【補正対象項目名】０００６
【補正方法】変更
【補正の内容】
【０００６】
本発明が解決しようとする１つの課題は、内燃エンジンにガスを供給するためのパイプライン内のガス流量の測定精度を高めることである。
【手続補正５】
【補正対象書類名】明細書
【補正対象項目名】０００８
【補正方法】変更
【補正の内容】
【０００８】
本発明は、実質的に剛性または柔軟性のパイプラインに関し、好ましくは自動車の、特にユティリティ・ビークル（例えばバスまたはトラック）の内燃エンジンに、例えばガス（特に空気）を供給するための実質的に剛性または柔軟性のパイプラインに関する。
【手続補正６】
【補正対象書類名】明細書
【補正対象項目名】００４９
【補正方法】変更
【補正の内容】
【００４９】
図１は、本発明の一実施形態による、内燃エンジン（機関）（図示せず）に空気の形態のガスを供給するためのパイプライン１の図を示している。矢印Ｐは、パイプライン１中を通るガスの流れ方向を示している。図１におけるパイプライン１の左側部分は、ガス・フィルタ（図示せず）から通じる清浄空気パイプを形成し、図１のパイプライン１の右側部分は、内燃エンジンへ向かう清浄空気パイプを形成する。